(57)【要約】      （修正有）【課題】地震災害時に建築建物の崩壊、倒壊で家屋内の家具の転倒又は吊り下げ物の落下に依る人命損失と重軽傷者を最小限に食い止める。【解決手段】石膏ボード１とアルミ、スチール補強穴有孔板、穴無孔板２を接着剤３で圧着した石膏ボード。アルミ、スチール補強穴有孔板に家具転倒、吊り下げ物の落下防止金具を取付けが出来る。本発明の石膏ボード補強接合板を新築、改修建築工事の側面壁、間仕切壁、天井面材の資材として使用する事に依って家屋建物の構造全体に強度が増大し建築建物、木造家屋の崩壊倒壊を最小限に防止する又家具転倒、壁面天井面の吊り下げ物の落下防止が出来る。【選択図】図２
2007077792.tif 000002
【特許請求の範囲】
【請求項１】
地震天災時に対応する耐震強度壁又は天井張り資材石膏ボードとアルミ補強板又はスチール補強板無穴孔接合石膏ボード。
【請求項２】
地震天災時に対応する耐震強度壁又は天井張り資材石膏ボードとアルミ補強板又はスチール補強板有穴孔接合石膏ボード。
【発明の詳細な説明】
【技術分野】
【０００１】本発明は日本又は世界中で頻繁に発生する地震天災時に家屋建物の崩壊又は倒壊又は家具等の転倒又は天井面より品物の吊り下げ落下防止を最小限に人命の損失又は重軽傷者を出さない為に解決する石膏ボードとアルミ補強板又はスチール補強板無穴孔接合石膏ボード又は石膏ボードとアルミ補強板又はスチール補強板有穴孔接合石膏ボードは地震天災時には安全第一に人命の損失又は重軽傷者を出さない事が発揮出来るように発明をしました。
【背景技術】
【０００２】１．従来の建築壁資材又は天井面材の石膏ボードにアルミ補強板又はスチール補強板無穴孔接合石膏ボードは有りません。
２．従来の建築壁資材又は天井面材の石膏ボードにアルミ補強板又はスチール補強板有穴孔接合石膏ボードは有りません。
３．従来の建築壁資材又は天井面材に使用する石膏ボードは側面壁又は間仕切壁又は天井面に施工張りした。従来の石膏ボードには引抜き張りの強度はほとんど無い為、地震天災時の為に家具転倒又は吊り下げ物落下防止金具を取付け出来ても震動又は微震又は揺れに転倒落下防止用金具の取付けボルト又はビース部分に緩みが発生して転倒落下防止金具の取付け用ボルト又はビース等が抜ける恐れが多々有る為に尊い人命の損失又は重軽傷者を出さない最小限の防止は出来ない。
【発明の開示】
【発明が解決しようとする課題】
【０００３】１．本発明は発明者は今日本又は世界中で頻繁に起こっている地震天災時に起きる尊い人命の損失や多発する重軽傷者が出ないようにどうすれば最小限に食い止める事を最大のテーマとして熟考しました。
２．発明者は５０数年に渡り建築設備工事に携わって得た経験から新建築資材として壁材又は天井面材の発明をしました。石膏ボードとアルミ補強板又はスチール補強板を接着剤にて圧着接合した石膏ボードの発明名称、セフティ．スミ．石膏ボードです。又二種類の石膏ボードとアルミ補強板又はスチール補強板無穴孔接合石膏ボード又は石膏ボードとアルミ補強板又はスチール補強板有穴孔接合石膏ボードが有ります。
３．地震天災時の従来の建築建物ＳＲＣ．ＲＣ．ＰＣ等又は木造家屋に使用されている壁材又は天井面材として従来から施工されている石膏ボードは側面壁又は間仕切壁又は天井面材として使用している為に地震天災時の為に家具転倒又は吊り落下物の防止する家具転倒又は吊り下げ物落下防止用金具等の設置や取付けが困難で大工職人さんが家具転倒又は吊り下げ物落下防止金具の取付けが出来ても従来の石膏ボードはそれほどの引抜き、引き張り強度が無いに等しく家具転倒又は吊り下げ物落下防止金具を石膏ボード用ボルト又はビース等を使用して取付けしても震動又は微動又は揺れに取付けされた家具転倒又は吊り下げ物の落下防止金具の取付け用ボルト又はビース等が抜ける恐れが多大に有る為に尊い人命と重軽傷者を出さない最小限の防止が出来ない。
【課題を解決するための手段】
【０００４】１．本発明の発明名称のセフティ．スミ．石膏ボードは石膏ボードとアルミ補強板又はスチール補強板無穴孔と接着剤で圧着した接合石膏ボード及び接合石膏ボード石膏ボードとアルミ補強板又はスチール補強板有穴孔と接着剤で圧着した接合石膏ボードを使用する事に依って建築建物ＳＲＣ．ＲＣ．ＰＣ又は木造家屋等の構造体の一部として強度か多大に増大して地震天災時の為に家具転倒又は吊り下げ落下防止金具が誰人にも  ドライバー１本で簡単に取付け出来ます。
２．地震天災時に多発する家屋建物の崩壊又は倒壊又は家具の転倒又は吊り下げ物の落下等から尊い人命と重軽傷者を出さない為に発明した。発明名称セフティ．スミ．石膏ボードです。
【発明の効果】
【０００５】１．日本又は世界中で頻繁に起こっている地震天災時に対応する為建築建物ＳＲＣ．ＲＣ．ＰＣ又は木造家屋等の新建築壁資材又は天井面資材として側面壁又は間仕切壁又は天井面に使用する事に依って建築物の構造体の一部として多大な強度の増大に寄与するセフティ．スミ．石膏ボードを使用する事に依って地震天災時の為に家屋建物の崩壊又は倒壊又は家具の転倒又は吊り下げ物落下防止金具等が誰人にもごく簡単に設置又は取付けが出来ます。又音の遮断又は断熱効果を得る事が出来ます。
２．地震天災時に拘らず起きる家屋建築物の崩壊又は倒壊又は家具の転倒又は吊り下げ物の落下防止と人命の損失と重軽傷者を地震天災から出さない事が最小限に防止が出来ます。
３．建築建物ＳＲＣ．ＲＣ．ＰＣ又は木造家屋等の新築又は改修建築工事にセフティ．スミ．石膏ボードを側面壁又は間仕切壁又は天井面に使用する事に依って建築物の構造体の一部として多大に家屋強度が増大する事が出来る。又建築工事職種によっても又建築設備工事職種別衛生設備又は空調設備又はガス設備又は消火設備又は電気設備等の施工工程の短縮又は労務費削減が多大に出来ます。
４．建築建物ＳＲＣ．ＲＣ．ＰＣ又は木造家屋等の新築又は改修建築工事にセフティ．スミ．石膏ボードを使用する事に依って建築工事職種によっても又建築設備工事職種別衛生設備又は空調設備又はガス設備又は消火設備又は電気設備等が壁面又は天井面に機具機器又は部品又は物品等の取付けの為に壁面又は間仕り壁内又は天井内に機器又は器具又は部品又は物品等の取付け用下地用木散又は鋼材料の取付け不用に成り施工工程の短縮と労務費と取付け下地材料費の削減が建築工事からも又は設備工事からも多大に削減が望める。
【発明を実施するための最良の形態】
【０００６】本発明の石膏ボード本体とアルミ補強板又はスチール補強板無穴孔を接着剤で圧着した石膏ボード又は石膏ボード本体とアルミ補強板又はスチール補強板有穴孔を接着剤で圧着した石膏ボードは地震天災時に起こる建築建物家屋等の崩壊又は倒壊又家具等の転倒又吊り下げ物の落下により又は地震天災時に多発する人命の損失や重軽傷者を出さない最小限の防止する。新建築壁又は天井材資材として早く特許が認められて建築建物の新築工事又は改修建築工事に使用を一日も早く実行又は実施が出来る事が最良の形態です。
日本又は世界中で頻繁に起こる地震天災時の為又は建築建物又は木造家屋の崩壊又は倒壊から尊い人命と重軽傷者を出さない事を最小限に防止する事が最大の願いです。
【図１】
2007077792.tif 000003
【図２】
2007077792.tif 000004
【図３】
2007077792.tif 000005
【図４】
2007077792.tif 000006
【図５】
2007077792.tif 000007
【図６】
2007077792.tif 000008
【図７】
2007077792.tif 000009
【図８】
2007077792.tif 000010
【手続補正書】
【提出日】平成18年8月11日(2006.8.11)
【手続補正１】
【補正対象書類名】明細書
【補正対象項目名】全文
【補正方法】変更
【補正の内容】
【発明の詳細な説明】
【技術分野】
【０００１】本発明は日本又は世界中で頻繁に発生する地震天災時に家屋建物の崩壊又は倒壊又は家具等の転倒又は天井面より品物の吊り下げ落下防止を最小限に人命の損失又は重軽傷者を出さない為に解決する石膏ボードとアルミ補強板又はスチール補強板無穴孔接合石膏ボード又は石膏ボードとアルミ補強板又はスチール補強板有穴孔接合石膏ボードは地震天災時には安全第一に人命の損失又は重軽傷者を出さない事が発揮出来るように発明をしました。
【背景技術】
【０００２】１．従来の建築壁資材又は天井面材の石膏ボードにアルミ補強板又はスチール補強板無穴孔接合石膏ボードは有りません。
２．従来の建築壁資材又は天井面材の石膏ボードにアルミ補強板又はスチール補強板有穴孔接合石膏ボードは有りません。
３．従来の建築壁資材又は天井面材に使用する石膏ボードは側面壁又は間仕切壁又は天井面に施工張りした。従来の石膏ボードには引抜き張りの強度はほとんど無い為、地震天災時の為に家具転倒又は吊り下げ物落下防止金具を取付け出来ても震動又は微震又は揺れに転倒落下防止用金具の取付けボルト又はビース部分に緩みが発生して転倒落下防止金具の取付け用ボルト又はビース等が抜ける恐れが多々有る為に尊い人命の損失又は重軽傷者を出さない最小限の防止は出来ない。
【発明の開示】
【発明が解決しようとする課題】
【０００３】１．本発明の発明者は今日本又は世界中で頻繁に起こっている地震天災時に起きる尊い人命の損失や多発する重軽傷者が出ないようにどうすれば最小限に食い止める事を最大のテーマとして熟考しました。
２．発明者は５０数年に渡り建築設備工事に携わって得た経験から新建築資材として壁材又は天井面材の発明をしました。石膏ボードとアルミ補強板又はスチール補強板を接着剤にて圧着接合した石膏ボードの発明名称、セフティ．スミ．石膏ボードです。又二種類の石膏ボードとアルミ補強板又はスチール補強板無穴孔接合石膏ボード又は石膏ボードとアルミ補強板又はスチール補強板有穴孔接合石膏ボードが有ります。
３．地震天災時の従来の建築建物ＳＲＣ．ＲＣ．ＰＣ等又は木造家屋に使用されている壁材又は天井面材として従来から施工されている石膏ボードは側面壁又は間仕切壁又は天井面材として使用している為に地震天災時の為に家具転倒又は吊り落下物の防止する家具転倒又は吊り下げ物落下防止用金具等の設置や取付けが困難で大工職人さんが家具転倒又は吊り下げ物落下防止金具の取付けが出来ても従来の石膏ボードはそれほどの引抜き、引き張り強度が無いに等しく家具転倒又は吊り下げ物落下防止金具を石膏ボード用ボルド又はビース等を使用して取付けしても震動又は微動又は揺れに取付けされた家具転倒又は吊り下げ物の落下防止金具の取付け用ボルト又はビース等が抜ける恐れが多大に有る為に尊い人命と重軽傷者を出さない最小限の防止が出来ない。
【課題を解決するための手段】
【０００４】１．本発明の発明名称のセフティ．スミ．石膏ボードは石膏ボードとアルミ補強板又はスチール補強板無穴孔と接着剤で圧着した接合石膏ボード及び接合石膏ボード石膏ボードとアルミ補強板又はスチール補強板有穴孔と接着剤で圧着した接合石膏ボードを使用する事に依って建築建物ＳＲＣ．ＲＣ．ＰＣ又は木造家屋等の構造体の一部として強度が多大に増大して地震天災時の為に家具転倒又は吊り下げ落下防止金具が誰人にもドライバー１本で簡単に取付け出来ます。
２．地震天災時に多発する家屋建物の崩壊又は倒壊又は家具の転倒又は吊り下げ物の落下等から尊い人命の損失と重軽傷者を出さない為に発明をした。発明名称セフティ．スミ．石膏ボードです。
【発明の効果】
【０００５】１．日本又は世界中で頻繁に起こっている地震天災時に対応する為建築建物ＳＲＣ．ＲＣ．ＰＣ又は木造家屋等の新建築壁資材又は天井面資材として側面壁又は間仕切壁又は天井面に使用する事に依って建築物の構造体の一部として多大な強度の増大に寄与するセフティ．スミ．石膏ボードを使用する事に依って地震天災時の為に家屋建物の崩壊又は倒壊又は家具の転倒又は吊り下げ物落下防止金具等が誰人にもごく簡単に設置又は取付けが出来ます。又音の遮断又は断熱効果を得る事が出来ます。
２．地震天災時に拘らず起きる家屋建築物の崩壊又は倒壊又は家具の転倒又は吊り下げ物の落下防止と人命の損失と重軽傷者を地震天災から出さない事が最小限に防止が出来ます。
３．建築建物ＳＲＣ．ＲＣ．ＰＣ又は木造家屋等の新築又は改修建築工事にセフティ．スミ．石膏ボードを側面壁又は間仕切壁又は天井面に使用する事に依って建築物の構造体の一部として多大に家屋強度が増大する事が出来る。又建築工事職種によっても又建築設備工事職種別に衛生設備又は空調設備又はガス設備又は消火設備又は電気設備又は医療設備等の施工工程の短縮又は労務費の削減が多大に出来ます。
４．建築建物ＳＲＣ．ＲＣ．ＰＣ又は木造家屋等の新築又は改修建築工事にセフティ．スミ．石膏ボードを使用する事に依って建築工事職種によっても又建築設備工事職種別衛生設備又は空調設備又はガス設備又は消火設備又は電気設備又は医療設備等が壁面又は天井面に機具機器又は部品又は物品等の取付けの為に壁面又は間仕切壁内又は天井内に機器又は器具又は部品又は物品等の取付け用下地用木散又は鋼材料の取付け不用に成り施工工程の短縮と労務費と取付け下地材料費の削減が建築工事からも又は設備工事からは多大に削減が望める。
【発明を実施するための最良の形態】
【０００６】本発明の石膏ボード本体とアルミ補強板又はスチール補強板無穴孔を接着剤で圧着した石膏ボード又は石膏ボード本体とアルミ補強板又はスチール補強板有穴孔を接着剤で圧着した石膏ボードは地震天災時に起こる建築建物家屋等の崩壊又は倒壊又家具等の転倒又吊り下げ物の落下により又は地震天災時に多発する人命の損失や重軽傷者を出さない最小限の防止する。新建築壁又天井材資材として早く特許が認められて建築建物の新築工事又は改修建築工事に使用を一日も早く実行又は実施が出来る事が最良の形態です。
日本又は世界中で頻繁に起こる地震天災時の為又は建築建物又は木造家屋等の崩壊又は倒壊から尊い人命損失と重軽傷者を出さない事が最小限に防止する事が最大の願いです。
【図面の簡単な説明】
【０００７】
【図１】平面図  本発明に係る石膏ボード本体
【図２】平面図  アルミ補強板（無穴孔）
【図３】立体図
【図４】立体図
【図５】断面図
【図６】平面図  本発明に係る石膏ボード本体
【図７】平面図  アルミ補強板（有穴孔）
【図８】立体図
【図９】立体図
【図１０】断面図
【図１１】平面図  本発明に係る石膏ボード本体
【図１２】平面図  スチール補強板（無穴孔）
【図１３】立体図
【図１４】立体図
【図１５】断面図
【図１６】平面図  本発明に係る石膏ボード本体
【図１７】平面図  スチール補強板（有穴孔）
【図１８】立体図
【図１９】立体図
【図２０】断面図
【符合の説明】
【０００８】    １  石膏ボード本体
２  アルミ補強板（無穴孔）
３  接着剤にて圧着接合部
４  アルミ補強板（有穴孔）
５  スチール補強板（無穴孔）
６  スチール補強板（有穴孔）
【手続補正２】
【補正対象書類名】図面
【補正対象項目名】全図
【補正方法】変更
【補正の内容】
【図１】
2007077792.tif 000011
【図２】
2007077792.tif 000012
【図３】
2007077792.tif 000013
【図４】
2007077792.tif 000014
【図５】
2007077792.tif 000015
【図６】
2007077792.tif 000016
【図７】
2007077792.tif 000017
【図８】
2007077792.tif 000018
【図９】
2007077792.tif 000019
【図１０】
2007077792.tif 000020
【図１１】
2007077792.tif 000021
【図１２】
2007077792.tif 000022
【図１３】
2007077792.tif 000023
【図１４】
2007077792.tif 000024
【図１５】
2007077792.tif 000025
【図１６】
2007077792.tif 000026
【図１７】
2007077792.tif 000027
【図１８】
2007077792.tif 000028
【図１９】
2007077792.tif 000029
【図２０】
2007077792.tif 000030